(57)【特許請求の範囲】
【請求項１】
開口を有するインストルメントパネルに、ブラケットを用いて電気機器を取り付ける、インストルメントパネルへの電気機器の取付構造であって、
前記電気機器は挿入部を有し、前記挿入部は、前記インストルメントパネルの前記開口に少なくとも一部が挿入されており、
前記ブラケットは、取付穴を有し、前記取付穴は、前記電気機器の前記ブラケットに対する取付方向を規定するように形成されており、
前記インストルメントパネルは、ボス穴が形成されたボス部を有し、前記ボス穴は、前記ブラケットの前記インストルメントパネルに対する取付方向を規定するように形成されており、
前記取付穴により規定される前記電気機器の前記ブラケットに対する取付方向と、前記ボス穴により規定される前記ブラケットの前記インストルメントパネルに対する取付方向とは、互いに異なる方向となるように設定されており、
前記インストルメントパネルに設けられた前記開口は、中心軸を有する空間から形成されており、
前記中心軸と、前記取付穴により規定される前記電気機器の前記ブラケットに対する取付方向とは、平行である、
インストルメントパネルへの電気機器の取付構造。
【請求項２】
前記中心軸を有する前記空間は、円柱状である、
請求項１に記載のインストルメントパネルへの電気機器の取付構造。
【請求項３】
前記インストルメントパネルは、複数の前記開口を有しており、
前記電気機器は、複数の前記開口の各々に一対一の対応関係で挿入される複数の前記挿入部を有している、
請求項１または２に記載のインストルメントパネルへの電気機器の取付構造。
【請求項４】
前記インストルメントパネルに設けられた前記開口は、前記インストルメントパネルの本体を直接貫通するようにして形成されている、
請求項１から３のいずれか１項に記載のインストルメントパネルへの電気機器の取付構造。
【請求項５】
前記電気機器は、充電容量計であり、
前記挿入部は、充電状態を示すＬＥＤである、
請求項１から４のいずれか１項に記載のインストルメントパネルへの電気機器の取付構造。
【発明の詳細な説明】
【技術分野】
【０００１】
本発明は、インストルメントパネルへ電気機器を取り付けるための構造に関する。
【背景技術】
【０００２】
特開平１０−０５９１１１号公報（特許文献１）および特開２０１５−０２４７８４号公報（特許文献２）に開示されているように、車両のインストルメントパネルには、ブラケットを用いて各種の機器が固定される。
【０００３】
図９〜図１１を参照して、インストルメントパネル３への電気機器５の取付構造１０Ｚについて説明する。図９は、取付構造１０Ｚの正面側の様子を示す斜視図であり、図１０は、図９に示す取付構造１０Ｚにおいて、ベゼル１をインストルメントパネル３から取り外した状態を示す斜視図である。図１１は、図９中のＸＩ−ＸＩ線に沿った断面図である。
【０００４】
図９〜図１１に示すように、インストルメントパネル３は、フロントデフグリル４の隣に、開口２を有している。開口２に、電気機器５が取り付けられる。電気機器５は、挿入部６と、本体部７とを有し、インストルメントパネル３の裏面側に配置される。インストルメントパネル３の表面側には、開口１Ｈを有するベゼル１が配置される。電気機器５およびベゼル１がインストルメントパネル３に取り付けられた状態では、電気機器５の挿入部６は、ベゼル１の開口１Ｈの中に挿入されている（図９および図１１参照）。
【０００５】
図１１に示すように、インストルメントパネル３の裏面側には、ボス部８と、図示しない位置決めピンとが設けられている。ボス部８には、ボス穴９が形成されている。ボス部８の形状や位置決めピンの形状は、一般的に、インストルメントパネル３を金型を用いて成型する際の金型の抜き方向に依存する。ボス部８に設けられたボス穴９の軸方向や位置決めピンの形状（延びる方向）が金型の抜き方向と同じになるように構成することで、ボス部８や位置決めピンを、成型によって容易にインストルメントパネル３に形成することが可能となる。
【０００６】
電気機器５の本体部７には、台座部７Ｔが本体部７と一体的に設けられている。この台座部７Ｔには、取付穴７Ｈが形成されている。取付構造１０Ｚにおいては、ねじやビスなどの締結具１５が用いられる。締結具１５は、電気機器５の取付穴７Ｈと、インストルメントパネル３のボス穴９とに順に挿通され、電気機器５（台座部７Ｔ）をインストルメントパネル３（ボス部８）に締結する。
【０００７】
ここで、締結具１５による電気機器５の締結の前には、電気機器５が位置決めピンによって所定の位置に位置決めされる。この際、電気機器５のインストルメントパネル３（ボス部８）に対する取付方向は、たとえば図１１中の矢印ＤＲ１で示される。電気機器５は、電気機器５に設けられた図示しない位置決め用の穴に、位置決めピンを挿通することで取付位置が決まる。したがって、電気機器５の取付方向（矢印ＤＲ１）は、インストルメントパネル３に設けられた位置決めピンの延在方向によって一義的に決まる。多くの場合、ボス部８に設けられたボス穴９の軸方向と、位置決めピンの延びる方向とは、いずれも金型の抜き方向と同じに設定される。したがって、一般的に、電気機器５の取付方向（矢印ＤＲ１）は、位置決めピンの延在方向に一致しており、かつ、ボス部８に形成されたボス穴９の中心軸方向（矢印ＤＲ２）と平行である。
【０００８】
電気機器５の台座部７Ｔがボス部８に接触するまで、電気機器５の全体を矢印ＤＲ１に示す方向に移動させる。その後、電気機器５の台座部７Ｔをボス部８に接触させた状態で、締結具１５が矢印ＤＲ２に示すように、ボス穴９の中に差し込まれる。なお、位置決めピンを用いないで電気機器５の位置決めを行なう場合もある。この場合には、電気機器５の取付方向は、位置決めピンに依存せず、たとえば、電気機器５の形状及び大きさや、電気機器５の周辺に設けられる他の機器の配置状況等によって規定される。ただし、製品ごとのバラツキをなくすために、多くの場合には位置決めピンを利用して電気機器５の位置決めが行われる。したがって、多くの場合、電気機器５の取付方向（矢印ＤＲ１）は、位置決めピンの延在方向に一致しており、かつ、ボス部８に形成されたボス穴９の中心軸方向（矢印ＤＲ２）と平行である。すなわち、電気機器５の取付方向（矢印ＤＲ１）は、金型の抜き方向によって制約を受けやすい。
【先行技術文献】
【特許文献】
【０００９】
【特許文献１】特開平１０−０５９１１１号公報
【特許文献２】特開２０１５−０２４７８４号公報
【発明の概要】
【発明が解決しようとする課題】
【００１０】
電気機器５をインストルメントパネル３に取り付ける（あるいは組み付ける）際には、電気機器５の挿入部６（たとえばＬＥＤなど）がインストルメントパネル３に接触しないように各機器を設計する必要がある。電気機器５の全体を図１１中の矢印ＤＲ１に示すように移動させる場合、開口２の大きさが小さいと、挿入部６がインストルメントパネル３に接触しやすくなったり、挿入部６を開口２の内側で所望の位置に位置決めすることが難しくなったりする。
【００１１】
したがって、挿入部６の移動経路（図中、点線Ｌで示す部分）を遮らないように、開口２の大きさを十分に大きく設定したり、インストルメントパネル３の開口２を形成している内周面部分２Ｆ（図１１）を傾斜させたりするといった対策が必要となる。しかしながら、これらの対策を採った場合には、インストルメントパネル３の剛性が低下したり、ベゼル１の大きさが大きくなって意匠性が低下したりする。
【００１２】
本発明は、インストルメントパネル３に設ける開口２の大きさが小さい場合であっても所望の位置に電気機器５を容易に取り付け可能な、インストルメントパネルへの電気機器の取付構造を提供することを目的とする。
【課題を解決するための手段】
【００１３】
本発明に基づくインストルメントパネルへの電気機器の取付構造は、開口を有するインストルメントパネルに、ブラケットを用いて電気機器を取り付ける、インストルメントパネルへの電気機器の取付構造であって、上記電気機器は挿入部を有し、上記挿入部は、上記インストルメントパネルの上記開口に少なくとも一部が挿入されており、上記ブラケットは、取付穴を有し、上記取付穴は、上記電気機器の上記ブラケットに対する取付方向を規定するように形成されており、上記インストルメントパネルは、ボス穴が形成されたボス部を有し、上記ボス穴は、上記ブラケットの上記インストルメントパネルに対する取付方向を規定するように形成されており、上記取付穴により規定される上記電気機器の上記ブラケットに対する取付方向と、上記ボス穴により規定される上記ブラケットの上記インストルメントパネルに対する取付方向とは、互いに異なる方向となるように設定されている。
【００１４】
上記取付構造において好ましくは、上記インストルメントパネルに設けられた上記開口は、中心軸を有する円柱状の空間から形成されており、上記中心軸と、上記取付穴により規定される上記電気機器の上記ブラケットに対する取付方向とは、平行である。
【００１５】
上記取付構造において好ましくは、上記インストルメントパネルは、複数の上記開口を有しており、上記電気機器は、複数の上記開口の各々に一対一の対応関係で挿入される複数の上記挿入部を有している。
【００１６】
上記取付構造において好ましくは、上記インストルメントパネルに設けられた上記開口は、上記インストルメントパネルの本体を直接貫通するようにして形成されている。
【００１７】
上記取付構造において好ましくは、上記電気機器は、充電容量計であり、上記挿入部は、充電状態を示すＬＥＤである。
【発明の効果】
【００１８】
上記の構成によれば、取付穴により規定される電気機器のブラケットに対する取付方向と、ボス穴により規定されるブラケットのインストルメントパネルに対する取付方向とを互いに異なる方向に設定されており、ブラケットを活用することで、インストルメントパネルに設ける開口の大きさが小さい場合であっても所望の位置に電気機器を容易に取り付けることができる。
【図面の簡単な説明】
【００１９】
【図１】実施の形態におけるインストルメントパネルへの電気機器の取付構造の正面側の様子を示す正面図である。
【図２】実施の形態におけるインストルメントパネルへの電気機器の取付構造の裏面側の様子を示す正面図である。
【図３】図２中のＩＩＩ−ＩＩＩ線に沿った断面図である。
【図４】図２中のＩＶ−ＩＶ線に沿った断面図である。
【図５】図２に示す取付構造において、電気機器をブラケットから取り外した状態を示す斜視図である。
【図６】図５中のＶＩ−ＶＩ線に沿った断面図である。
【図７】図５に示す取付構造において、ブラケットをインストルメントパネル（ボス部）から取り外した状態を示す斜視図である。
【図８】図７中のＶＩＩＩ−ＶＩＩＩ線に沿った断面図である。
【図９】インストルメントパネルへの電気機器の取付構造の正面側の様子を示す斜視図である。
【図１０】図９に示す取付構造において、ベゼルをインストルメントパネルから取り外した状態を示す斜視図である。
【図１１】図９中のＸＩ−ＸＩ線に沿った断面図である。
【発明を実施するための形態】
【００２０】
実施の形態におけるインストルメントパネル３への電気機器５の取付構造１０について、以下、図面を参照しながら説明する。同一の部品および相当部品には同一の参照番号を付し、重複する説明は繰り返さない場合がある。図１は、取付構造１０の正面側の様子を示す斜視図であり、図２は、取付構造１０の裏面側の様子を示す斜視図である。図３は、図２中のＩＩＩ−ＩＩＩ線に沿った断面図である。図４は、図２中のＩＶ−ＩＶ線に沿った断面図である。
【００２１】
図１〜図４に示すように、実施の形態における取付構造１０においては、ブラケット１１（図２〜図４）を用いて、インストルメントパネル３に電気機器５が取り付けられる（図５も参照）。インストルメントパネル３は、フロントデフグリル４（図１）の隣に、複数の開口２Ａ，２Ｂ，２Ｃを有している。開口２Ａ，２Ｂ，２Ｃは、インストルメントパネル３を成型によって作製する工程とは別に、インストルメントパネル３に対して穴あけ加工を実施することよって設けることができる。
【００２２】
電気機器５は、挿入部６Ａ，６Ｂ，６Ｃを有している（より具体的には、１つの電気機器５が、３つの挿入部６Ａ，６Ｂ，６Ｃを有している）。電気機器５がインストルメントパネル３に取り付けられた状態では、電気機器５の挿入部６Ａ，６Ｂ，６Ｃは、それぞれ、開口２Ａ，２Ｂ，２Ｃに少なくとも一部が挿入されている（図５も参照）。図５は、図２に示す取付構造１０において、電気機器５をブラケット１１から取り外した状態を示す斜視図である。図６は、図５中のＶＩ−ＶＩ線に沿った断面図である。
【００２３】
図１〜図６（主として図５および図６）を参照して、電気機器５は、たとえば充電容量計である。挿入部６Ａ，６Ｂ，６Ｃは、車両の充電状態を示すＬＥＤから構成される。挿入部６Ａ，６Ｂ，６Ｃは、開口２Ａ，２Ｂ，２Ｃを通してインストルメントパネル３の表面側にそれぞれ露出しており（図１参照）、挿入部６Ａ，６Ｂ，６Ｃの点灯数、点灯色、点灯状態などに応じて、車両の充電状態を把握することができる。
【００２４】
本実施の形態の電気機器５は、挿入部６Ａ，６Ｂ，６Ｃを保持する本体部７を有している。本体部７は、中央部７Ｄと、中央部７Ｄの両外側に設けられた一対の取付金具７Ａ，７Ｂとを含んでいる（図２も参照）。取付金具７Ａ，７Ｂは、側面視でＬ字状の形状を有しており（図４参照）、取付金具７Ａ，７Ｂの中央には、取付穴７ＡＨ，７ＢＨ（図５参照）がそれぞれ設けられている。
【００２５】
図７は、図５に示す取付構造１０において、ブラケット１１をインストルメントパネル３（ボス部８Ａ，８Ｂ）から取り外した状態を示す斜視図である。図８は、図７中のＶＩＩＩ−ＶＩＩＩ線に沿った断面図である。説明上の便宜のため、図７および図８の中に、電気機器５は図示していない。
【００２６】
図１〜図８（主として図７および図８）を参照して、ブラケット１１は、環状の形状を有しており、中央には比較的大きな開口１１Ｈが設けられている（図２も参照）。ブラケット１１のうちの開口１１Ｈを形成している内側部分１２と、内側部分１２の周辺に位置する外周部分１３とは、段差を形成している（図８参照）。ブラケット１１がインストルメントパネル３に取り付けられた状態では、外周部分１３は、内側部分１２よりもインストルメントパネル３から離れた位置に位置する。
【００２７】
ブラケット１１の外周部分１３には、座面１３Ａ，１３Ｂおよび座面１３Ｃ，１３Ｄが設けられている。座面１３Ａ，１３Ｂは、開口１１Ｈを挟んで互いに反対側に位置しており、座面１３Ｃ，１３Ｄも、開口１１Ｈを挟んで互いに反対側に位置している。座面１３Ａ，１３Ｂは、互いに略平行な位置関係を有しており、座面１３Ｃ，１３Ｄも、互いに平行な位置関係を有している。ただし、座面１３Ａ，１３Ｂと、座面１３Ｃ，１３Ｄとは、平行な位置関係を有していない。
【００２８】
座面１３Ａ，１３Ｂ，１３Ｃ，１３Ｄには、それぞれ、取付穴１４Ａ，１４Ｂ，１４Ｃ，１４Ｄが設けられている。詳細は後述するが、取付穴１４Ａ，１４Ｂ，１４Ｃ，１４Ｄには、それぞれ、ねじやビスなどの締結具１５Ａ，１５Ｂ，１５Ｃ，１５Ｄがそれぞれ差し込まれる。座面１３Ａには、位置決めピン８Ｅ（図７）を挿通するための開口１４Ｅも設けられている。
【００２９】
図７に示すように、インストルメントパネル３の裏面側には、ボス部８Ａ，８Ｂおよび位置決めピン８Ｅが設けられている。ボス部８Ａ，８Ｂには、ボス穴９Ａ，９Ｂが形成されている。ボス穴９Ａ，９Ｂおよび位置決めピン８Ｅが設けられている位置は、ブラケット１１に設けられた取付穴１４Ａ，１４Ｂおよび開口１４Ｅの位置に対応している。さらに、インストルメントパネル３に設けられた開口２Ａ，２Ｂ，２Ｃの位置は、電気機器５に設けられた挿入部６Ａ，６Ｂ，６Ｃの位置に対応している（図５参照）。
【００３０】
（ブラケット１１のインストルメントパネル３に対する取り付けについて）
図７および図８を参照して、取付構造１０においては、ブラケット１１をインストルメントパネル３に取り付けるために、締結具１５Ａ，１５Ｂが用いられる。ブラケット１１の取付穴１４Ａと、ボス部８Ａのボス穴９Ａとを略一致させた状態で、締結具１５Ａは、取付穴１４Ａとボス穴９Ａとに順に挿通され、ブラケット１１（座面１３Ａ）をインストルメントパネル３（ボス部８Ａ）に締結する。同様に、ブラケット１１の取付穴１４Ｂと、ボス部８Ｂのボス穴９Ｂとを略一致させた状態で、締結具１５Ｂは、取付穴１４Ｂとボス穴９Ｂとに順に挿通され、ブラケット１１（座面１３Ｂ）をインストルメントパネル３（ボス部８Ｂ）に締結する。これにより、図５中に示すブラケット１１の状態が得られる。
【００３１】
ここで、位置決めピン８Ｅおよびボス部８Ａ，８Ｂに設けられたボス穴９Ａ，９Ｂ（図７）は、ブラケット１１のインストルメントパネル３に対する取付方向（矢印ＡＲ１）を規定する。ブラケット１１のインストルメントパネル３に対する取付方向（矢印ＡＲ１）とは、ブラケット１１の座面１３Ａ，１３Ｂがインストルメントパネル３のボス部８Ａ，８Ｂに取り付けられた時に、締結具１５Ａ，１５Ｂの締結によって座面１３Ａ，１３Ｂに作用する締結力の方向である。ブラケット１１のインストルメントパネル３に対する取付方向（矢印ＡＲ１）とは、位置決めピン８Ｅや、ボス穴９Ａ，９Ｂの中心軸に対して平行な方向とも定義することができる。
【００３２】
冒頭でも述べたように、ボス部８Ａ，８Ｂの形状や位置決めピン８Ｅの形状は、一般的に、インストルメントパネル３を金型を用いて成型する際の金型の抜き方向に依存する。ボス部８Ａ，８Ｂに設けられたボス穴９Ａ，９Ｂの軸方向や位置決めピン８Ｅの形状（延びる方向）が金型の抜き方向と同じになるように構成することで、ボス部８Ａ，８Ｂや位置決めピン８Ｅを、成型によって容易にインストルメントパネル３に形成することが可能となる。ブラケット１１のインストルメントパネル３への取付方向（矢印ＡＲ１）は、位置決めピン８Ｅの延在方向に一致しており、かつ、ボス部８Ａ，８Ｂに形成されたボス穴９Ａ，９Ｂの中心軸方向と平行である。すなわち、電気機器５の取付方向（矢印ＡＲ１）は、金型の抜き方向によって制約を受けやすい。
【００３３】
（電気機器５のブラケット１１に対する取り付けについて）
図５および図６を参照して、取付構造１０においては、電気機器５をブラケット１１に取り付けるために、締結具１５Ｃ，１５Ｄが用いられる。電気機器５の取付穴７ＡＨと、ブラケット１１の取付穴１４Ｃとを略一致させた状態で、締結具１５Ｃは、取付穴７ＡＨと取付穴１４Ｃとに順に挿通され、電気機器５（取付金具７Ａ）をブラケット１１（座面１３Ｃ）に締結する。同様に、電気機器５の取付穴７ＢＨと、ブラケット１１の取付穴１４Ｄとを略一致させた状態で、締結具１５Ｄは、取付穴７ＢＨと取付穴１４Ｄとに順に挿通され、電気機器５（取付金具７Ｂ）をブラケット１１（座面１３Ｄ）に締結する。電気機器５の挿入部６Ａ，６Ｂ，６Ｃは、それぞれ、開口２Ａ，２Ｂ，２Ｃに少なくとも一部が挿入され、図２中に示す取付構造１０の状態が得られる。
【００３４】
ここで、ブラケット１１に設けられた取付穴１４Ｃ，１４Ｄ（図５）は、電気機器５のブラケット１１に対する取付方向（矢印ＡＲ２）を規定する。電気機器５のブラケット１１に対する取付方向（矢印ＡＲ２）は、インストルメントパネル３に設けられた開口２Ａ，２Ｂ，２Ｃに、電気機器５の挿入部６Ａ，６Ｂ，６Ｃをそれぞれ挿入する方向（開口２Ａ，２Ｂ，２Ｃの中心軸（開口軸）の方向）と一致している。すなわち、電気機器５のブラケット１１に対する取付方向（矢印ＡＲ２）は、開口２Ａ，２Ｂ，２Ｃの開口軸の方向によって規定されている（制約を受けている）。
【００３５】
本実施の形態では、電気機器５のブラケット１１に対する取付方向（矢印ＡＲ２）とは、電気機器５の取付金具７Ａ，７Ｂがブラケット１１の座面１３Ｃ，１３Ｄに取り付けられた時に、締結具１５Ｃ，１５Ｄの締結によって取付金具７Ａ，７Ｂに作用する締結力の方向にも一致している。電気機器５のブラケット１１に対する取付方向（矢印ＡＲ２）とは、取付穴１４Ｃ，１４Ｄの中心軸に対して平行な方向とも定義することができる。
【００３６】
（２つの取付方向ＡＲ１，ＡＲ２について）
開口２Ａ，２Ｂ，２Ｃの開口軸の方向によって（あるいは取付穴１４Ｃ，１４Ｄ（図５）によって）規定される電気機器５のブラケット１１に対する取付方向（矢印ＡＲ２）と、位置決めピン８Ｅやボス穴９Ａ，９Ｂによって（あるいは金型の抜き方向によって）規定されるブラケット１１のインストルメントパネル３に対する取付方向（矢印ＡＲ１）とは、互いに異なる方向となるように設定されている。
【００３７】
冒頭で説明した取付構造１０Ｚ（図１１）においては、電気機器５の本体部７に、台座部７Ｔが本体部７と一体的に設けられている。したがって、挿入部６の移動経路（図１１中、点線Ｌで示す部分）を遮らないように、開口２の大きさを十分に大きく設定したり、インストルメントパネル３の開口２を形成している内周面部分２Ｆ（図１１）を傾斜させたりするといった対策が必要となる。
【００３８】
これに対して本実施の形態においては、ブラケット１１を活用することで、開口２Ａ，２Ｂ，２Ｃの開口軸の方向によって（あるいは取付穴１４Ｃ，１４Ｄによって）規定される電気機器５のブラケット１１に対する取付方向（矢印ＡＲ２）と、位置決めピン８Ｅやボス穴９Ａ，９Ｂによって（あるいは金型の抜き方向によって）規定されるブラケット１１のインストルメントパネル３に対する取付方向（矢印ＡＲ１）とを互いに異なる方向に設定することが可能となっている。
【００３９】
電気機器５をブラケット１１に組み付ける際（挿入部６Ａ，６Ｂ，６Ｃを開口２Ａ，２Ｂ，２Ｃの中に挿入する際）、挿入部６Ａ，６Ｂ，６Ｃの移動経路は、ブラケット１１のインストルメントパネル３に対する取付方向（矢印ＡＲ１）に制約されない。したがって取付構造１０においては、取付構造１０Ｚ（図１１）の場合のように開口２の大きさを大きく設定したり、インストルメントパネル３の開口２を形成している内周面部分２Ｆ（図１１）を傾斜させたりするといった対策は特段不要である。
【００４０】
図４を参照して、電気機器５の取付金具７Ａ，７Ｂに設けられた取付穴７ＡＨ，７ＢＨの大きさを、締結具１５Ｃ，１５Ｄの差込部分の寸法に対して余分目に確保しておくことによって、いわゆるフロート構造が実現され、ブラケット１１に対する電気機器５の相対位置を自由に設定可能となる。インストルメントパネル３に設ける開口２Ａ，２Ｂ，２Ｃの大きさが小さい場合や、インストルメントパネル３に対する開口２Ａ，２Ｂ，２Ｃの位置がばらついている場合であっても、挿入部６Ａ，６Ｂ，６Ｃを開口２Ａ，２Ｂ，２Ｃの中に容易に挿入でき、所望の位置に電気機器５を容易に取り付けることができる。
【００４１】
好適な実施形態としては、インストルメントパネル３に設けられた開口２Ａ，２Ｂ，２Ｃは、中心軸を有する円柱状の空間から形成されており、開口２Ａ，２Ｂ，２Ｃの各中心軸と、取付穴１４Ｃ，１４Ｄ（図５）により規定される電気機器５のブラケット１１に対する取付方向（矢印ＡＲ２）とは、平行である。当該構成によれば、挿入部６Ａ，６Ｂ，６Ｃを開口２Ａ，２Ｂ，２Ｃの中により容易に挿入できる。
【００４２】
また、本実施の形態においては、インストルメントパネル３に設けられた開口２Ａ，２Ｂ，２Ｃは、穴あけ加工によって、インストルメントパネル３の本体を直接貫通するようにして形成されている。したがって、取付構造１０Ｚ（図１１）の場合のようにベゼル１を設ける必要が無いため、意匠性を向上させることができる。フロントデフグリル４から吐出される風への影響も、取付構造１０Ｚの場合に比べて低減できる。
【００４３】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００４４】
１  ベゼル、１Ｈ，２，２Ａ，２Ｂ，２Ｃ，１１Ｈ，１４Ｅ  開口、２Ｆ  内周面部分、３  インストルメントパネル、４  フロントデフグリル、５  電気機器、６，６Ａ，６Ｂ，６Ｃ  挿入部、７  本体部、７Ａ，７Ｂ  取付金具、７ＡＨ，７ＢＨ，７Ｈ，１４Ａ，１４Ｂ，１４Ｃ，１４Ｄ  取付穴、７Ｄ  中央部、７Ｔ  台座部、８，８Ａ，８Ｂ  ボス部、８Ｅ  位置決めピン、９，９Ａ，９Ｂ  ボス穴、１０，１０Ｚ  取付構造、１１  ブラケット、１２  内側部分、１３  外周部分、１３Ａ，１３Ｂ，１３Ｃ，１３Ｄ  座面、１５，１５Ａ，１５Ｂ，１５Ｃ，１５Ｄ  締結具、ＡＲ１，ＡＲ２  矢印（取付方向）、ＤＲ１，ＤＲ２  矢印、Ｌ  線。
【図１】
0006613124.tif 000002
【図２】
0006613124.tif 000003
【図３】
0006613124.tif 000004
【図４】
0006613124.tif 000005
【図５】
0006613124.tif 000006
【図６】
0006613124.tif 000007
【図７】
0006613124.tif 000008
【図８】
0006613124.tif 000009
【図９】
0006613124.tif 000010
【図１０】
0006613124.tif 000011
【図１１】
0006613124.tif 000012